(57)【要約】【課題】産業廃棄物として処分する部分をできるだけ減少させた壁紙を提供する。【解決手段】内径１〜１０ｃｍの筒状に巻いてある壁紙であって、巻芯のない壁紙を提供する。壁紙を製造方法するには、外径が伸縮可能に構成された円筒状または円柱状の巻芯形成手段の外径を拡径した状態で壁紙巻取機に装着し、この巻芯形成手段に壁紙を巻き付けるようにして巻芯形成手段を回転することにより所定の長さの壁紙を巻芯形成手段の周りに巻き取った後該巻芯形成手段の外径を縮径させることにより巻き取られた壁紙から抜き取る。【選択図】      なし【特許請求の範囲】
【請求項１】
内径１〜１０ｃｍの筒状に巻いてある壁紙であって、巻芯のないことを特徴とする壁紙。
【請求項２】
壁紙の巻き始め端縁近傍の部分の表面を該部分の上に巻かれる壁紙部分の接触面に接着したことを特徴とする請求項１記載の壁紙。
【請求項３】
外径が伸縮可能に構成された円筒状または円柱状の巻芯形成手段の外径を拡径した状態で壁紙巻取機に装着し、この巻芯形成手段に壁紙を巻き付けるようにして巻芯形成手段を回転することにより所定の長さの壁紙を巻芯形成手段の周りに巻き取った後該巻芯形成手段の外径を縮径させることにより巻き取られた壁紙から抜き取ることを特徴とする内径１〜１０ｃｍの筒状に巻いた巻芯のない壁紙の製造方法。
【請求項４】
該巻芯形成手段はエアバッグであることを特徴とする請求項３記載の壁紙の製造穂法。
【請求項５】
該巻芯形成手段は、円筒をその軸方向に延長する２本の分割線に沿って２つ割りにして２つの部材とし、これら２つの部材を前記２本の分割線に隣接する複数の部分において相互に接近・離間可能に連結してなる冶具であることを特徴とする請求項３記載の壁紙の製造方法。
【請求項６】
巻芯形成手段に壁紙を巻き取る工程の初期段階において、壁紙の巻き始め端縁近傍の部分の表面を該部分の上に巻かれる壁紙部分の接触面に接着する工程をさらに備えることを特徴とする請求項３〜５のいずれかに記載の壁紙の製造方法。
【発明の詳細な説明】
【０００１】
【発明の属する技術分野】
本発明は、壁紙および壁紙の製造方法に関する。
【０００２】
【従来の技術】
従来壁紙は、巻芯である紙管に５０ｍ巻きにして出荷するのが一般的である。このような巻物状の壁紙を製造するには、壁紙巻取機に備えられている１対の巻芯支持具によって巻芯である紙管を支持し、壁紙の巻き始め端部を紙管の周りに巻き付け巻芯支持具を介して紙管を回転させることにより壁紙を所定の長さ（通常５０ｍ）だけ巻き取った後筒状に巻かれた壁紙を紙管ごと巻芯支持具から取り外して出荷する。したがって、巻芯である紙管は、このような巻物状の壁紙の製造上必要不可欠な部材であり、紙管のない巻物状の壁紙は現在存在しない。
【０００３】
【発明が解決しようとする課題】
巻物状の壁紙は内装工事等に使用された後施工後の壁紙残材は、産業廃棄物として処分され、その際紙管は壁紙残材と同時に廃棄処分されるか、または分別して紙として焼却される。
【０００４】
しかし最近は埋立処分場の不足や環境保護の観点から、施工現場から産業廃棄物や要焼却物をできるだけ発生させない製品を作ることが社会的要請となっている。
【０００５】
本発明は、壁紙に関する上記問題点にかんがみなされたものであって、産業廃棄物として処分する部分をできるだけ減少させた壁紙を提供することを目的とするものである。
【０００６】
【課題を解決する手段】
上記目的を達成するため、本発明者は鋭意研究と実験を重ねた結果、従来巻芯として使用されて来た紙管のかわりに外径が伸縮可能に構成された円筒状または円柱状の巻芯類似物を拡径状態で壁紙巻取機に装着してこの巻芯類似物の周りに壁紙を巻き取った後巻芯類似物を縮径させれば、巻芯類似物は巻き取った筒状の壁紙から抜き取ることが可能であり、巻芯のない巻物状壁紙を製造することができることを見出し、本発明に到達した。
【０００７】
すなわち、本発明の目的を達成する壁紙は、内径１〜１０ｃｍの筒状に巻いてある壁紙であって、巻芯のないことを特徴とする壁紙である。
【０００８】
本発明の１側面においては、壁紙は、壁紙の巻き始め端縁近傍の部分の表面を該部分の上に巻かれる壁紙部分の接触面に接着したことを特徴とする。
【０００９】
本発明の目的を達成する壁紙の製造方法は、外径が伸縮可能に構成された円筒状または円柱状の巻芯形成手段の外径を拡径した状態で壁紙巻取機に装着し、この巻芯形成手段に壁紙を巻き付けるようにして巻芯形成手段を回転することにより所定の長さの壁紙を巻芯形成手段の周りに巻き取った後該巻芯形成手段の外径を縮径させることにより巻き取られた壁紙から抜き取ることを特徴とする内径１〜１０ｃｍの筒状に巻いた巻芯のない壁紙の製造方法である。
【００１０】
該巻芯形成手段としては、エアバッグを使用することができる。
また、該巻芯形成手段としては、円筒をその軸方向に延長する２本の分割線に沿って２つ割りにして２つの部材とし、これら２つの部材を前記２本の分割線に隣接する複数の部分において相互に接近・離間可能に連結してなる冶具を使用することができる。
【００１１】
本発明の１側面において、壁紙の製造方法は、巻芯形成手段に壁紙を巻き取る工程の初期段階において、壁紙の巻き始め端縁近傍の部分の表面を該部分の上に巻かれる壁紙部分の接触面に接着する工程をさらに備えることを特徴とする。
【００１２】
【発明の実施の形態】
以下添付図面を参照して、本発明の実施の形態について説明する。
本発明にかかる巻物状の壁紙は、紙管その他いかなる形状の巻芯もない中空の筒状に巻いた壁紙で、その内径は１〜１０ｃｍである。内径が１ｃｍ未満の場合は、壁紙を内装工事において施工する時に糊付機の冶具が挿入できず、また内径が１０ｃｍを超えると壁紙の自重により巻物としての原型が保持できなくなる。
【００１３】
壁紙の外径については特に制限はなく、壁紙の長さ（通常５０ｍ）に応じて決まる外径とすればよい。また、壁紙の長さ、幅については特に制限はない。
【００１４】
壁紙の内径が２ｃｍを超える場合は、巻き始めの部分からほぐれて、全体にしまりがなくなり、原型が崩れるおそれがあるので、ほぐれ防止のため、壁紙の巻き始め端縁近傍の部分の表面を該部分の上に巻かれる壁紙部分の接触面に両面テープまたは接着剤等により接着することが好ましい。
【００１５】
本発明にかかる壁紙を製造するには、外径が伸縮可能に構成された円筒状または円柱状の巻芯形成手段の外径を拡径した状態で壁紙巻取機に装着し、この巻芯形成手段に壁紙を巻き付けるようにして巻芯形成手段を回転することにより所定の長さの壁紙を巻芯形成手段の周りに巻き取った後該巻芯形成手段の外径を縮径させることにより巻き取られた壁紙から抜き取る。
【００１６】
巻芯形成手段としては、エアバッグを使用することができる。
巻芯形成手段としてエアバッグを使用する実施形態について図１〜図３を参照して説明する。図１はエアバッグを膨らませた状態の側断面図、図２（ａ）は図１のＡ−Ａ断面図、図２（ｂ）は図３のＢ−Ｂ断面図、図３は壁紙の巻取りを完了しエアバッグをしぼませた状態の側断面図である。
【００１７】
図１において、壁紙巻取り機１は一対の巻芯形成手段支持端部２、２’を備えており、これら巻芯形成手段支持端部２、２’の間に巻芯形成手段であるエアバッグ３が支持されるように配置する。支持端部２’は軸方向に前進、後退が可能であり、巻き取られた壁紙を取り外すときは支持端部２’を後退させる。エアバッグ３は従来の紙管と同様の巻芯形状を有する筒状のバッグであり、その外周面には、鋼管、アルミ管または硬質プラスチック管等の管を軸方向に二つ割にした形状の形状保持具１６、１６が接着剤により接着されている。形状保持具１６、１６は、図２（ｂ）の断面図に示すように、エアバッグ３をしぼませた状態で両保持具の半径方向の端面１６ａ、１６ａが相互に接触するように形成されており、エアバッグ３を膨らませた状態では、図２（ａ）に示すように、両形状保持具１６、１６の半径方向端面１６ａ、１６ａは相互に離間している。エアバッグ３の支持端部２’側の一端部３ａは閉じており、支持端部２側の他端部３ｂは外端部が開放された縮径部に形成されており、支持端部２の中央部に設けられた空気送入管４の外周面に嵌合わされている。空気送入管４は空気ポンプ（図示せず）に接続されており、その出口近傍には空気供給弁５が設けられている。
【００１８】
最大外径に拡径した状態のエアバッグ３の外周面に接着された形状保持具１６、１６の外径は巻き取るべき壁紙の内径と等径に設定されている。
【００１９】
図１に示すように、膨らんだエアバッグ３の端部３ａおよび形状保持具１６の端面に支持端部２’の端面が圧着するようにしてエアバッグ３を壁紙巻取り機１の巻芯形成手段支持端部２、２’間に挟むようにして支持し、空気をエアバッグ３内に充填してエアバッグ３が最大外径に拡径した状態において、壁紙の巻き始め端部をエアバッグ３の形状保持具１６、１６の外周面上に巻き付け、巻取り機１の支持端部２、２’を回転することによりエアバッグ３を回転させて壁紙をエアバッグ３の形状保持具１６、１６の周りに巻き取る。
【００２０】
壁紙の型崩れのおそれがある場合は、図７の斜視図に示すように、壁紙６の巻き始め端縁近傍の部分６ａの表面を該部分の上に巻かれる壁紙部分の接触面６ｂに両面テープ７（または接着剤）により接着する。
【００２１】
こうして壁紙を所定の長さ巻き取ったら、図３の側断面図に示すように、空気ポンプを作動してエアバッグ３内の空気を排出し、エアバッグ３の外径を縮径させる。これによって、形状保持具１６、１６と壁紙６の内周面との間には隙間１７ができるので、壁紙６は容易に取り外すことが可能となる。支持端部２’を後退させ、巻き取った壁紙６を巻取機１の支持端部２、２’から取り外す。こうして、図９の斜視図に示すような巻芯のない中空部６ｃを有する巻物状の壁紙６ができあがる。
【００２２】
また、巻芯形成手段としては、円筒をその軸方向に延長する２本の分割線に沿って２つ割りにして２つの部材とし、これら２つの部材を前記２本の分割線に隣接する複数の部分において相互に接近・離間可能に連結してなる冶具を使用することができる。
【００２３】
図４〜図６はこの冶具を使用した実施形態を示す。
図４の斜視図において、冶具１１は鋼管または硬質プラスチック管等の円筒をその中心軸を通る平面に沿って軸方向に２分割した円弧状横断面を有する２つの部材９、９からなり、これら２つの部材９、９は、２本の分割線９ａ、９ａに隣接して２つの部材９、９に跨るようにして配置され、該分割線９ａ、９ａの軸方向において適宜の間隔で離間した複数の部分に固着されたゴム板１０によって相互に連結されている。
【００２４】
この実施形態において、壁紙巻取機１の巻芯形成手段支持端部２、２’は図５の側面図に示すように、それぞれ支持端部２、２’と同軸に軸方向内側に突出する円筒状の冶具装着部１２、１２’を備えており、支持端部２、２’の一方たとえば２’は軸方向に移動可能である。冶具装着部１２、１２’の外径は冶具１１の内径よりも大きく、冶具１１を冶具装着部１２、１２’に装着した時拡径した冶具１１の外径が壁紙の所定の内径と等径となるように冶具装着部１２、１２’の外径が設定されている。
【００２５】
壁紙を巻き取るには、支持端部２’を後退させた状態で冶具１１の一端部を支持端部２の冶具装着部１２に嵌めこむようにして装着し、次いで支持端部２’を前進させて冶具１１の他端部を冶具装着部１２’に装着する。これによって冶具１１の２つの部材９、９はゴム板１０が伸長して相互に離間した状態となり、両部材９、９の間に隙間１３が生じる。すなわち冶具１１は拡径状態で両支持端部２、２’間に装着される。
【００２６】
次に支持端部２、２’を回転して拡径した冶具１１を回転させることによりその周りに壁紙を巻き取る。巻取りが完了したら、支持端部２’を後退させ、冶具装着部１２’を壁紙が巻かれた冶具１１から抜き取った後冶具１１を支持端部２の冶具装着部１２から外す。すると冶具１１は伸長していたゴム板１０が原状に復帰することにより縮径して図４の状態に戻る。この状態において冶具１１の外径は、図６の斜視図に示すように巻き取られた壁紙６の内径よりも小さくなっているので壁紙６から容易に抜き取ることができる。
【００２７】
冶具１１の２つの部材９、９を相互に接近、離間可能に結合する手段は図４−６の実施形態において使用したゴム板１０に限らず、２つの部材９、９を相互に接近、離間可能に連結することができるものであればどのような手段でもよい。
【００２８】
たとえば、図８の部分斜視図に示すように、２本の分割線にそって軸方向に所定間隔でコイルバネ装着孔１４を両部材９、９の対向する位置に形成し、これら対抗するコイルバネ装着孔１４、１４の各底面１４ａに、両部材９、９が離間した状態で両部材９、９を相互に接近する方向に付勢するコイルバネ１５の両端部を溶接することによってこの連結手段を構成することができる。
【００２９】
【発明の効果】
以上述べたように、本発明の壁紙は従来産業廃棄物として廃棄または焼却していた巻芯がないので、施工現場から発生する産業廃棄物の量を減少させることができ、環境保護の面および省資源の面から有益であり、また壁紙の製造コストを低減することができる。
【００３０】
本発明の壁紙は、巻芯がないので、巻き始めの部分ではほどけ、全体が型崩れを起こすおそれがあるが、本発明の１側面によれば、壁紙の巻き始め端縁近傍の部分の表面を該部分の上に巻かれる壁紙部分の接触面に接着してあるので、このような型崩れを有効に防止することができる。
【００３１】
また、本発明にかかる壁紙の製造方法によれば、従来の巻芯にかわる外径伸縮可能な巻芯形成手段を使用して壁紙を巻き取ることにより、従来不可能であった巻芯のない巻物状壁紙を製造することができる。
【図面の簡単な説明】
【図１】本発明の１実施形態を示す側断面図で、エアバッグを拡径した状態を示す図である。
【図２】（ａ）は図１のＡ−Ａ断面図、（ｂ）は図３の（Ｂ）−（Ｂ）断面図である。
【図３】同実施形態においてエアバッグを縮径した状態を示す側面図である。
【図４】本発明の他の実施形態において使用する冶具を示す斜視図である。
【図５】同実施形態を示す側面図である。
【図６】壁紙の中で冶具が縮径した状態を示す斜視図である。
【図７】壁紙の巻き始め部分の接着を示す斜視図である。
【図８】冶具の他の実施形態を示す部分斜視図である。
【図９】完成した壁紙を示す斜視図である。
【符号の説明】
１          壁紙巻取機
２、２’    巻芯形成手段支持端部
３          エアバッグ
６          壁紙
９、９      冶具の２つの部材
１０        ゴム板
１１        冶具
１６、１６  形状保持具
【図１】
2005059970.tif 000002
【図２】
2005059970.tif 000003
【図３】
2005059970.tif 000004
【図４】
2005059970.tif 000005
【図５】
2005059970.tif 000006
【図６】
2005059970.tif 000007
【図７】
2005059970.tif 000008
【図８】
2005059970.tif 000009
【図９】
2005059970.tif 000010